(57)【特許請求の範囲】
【請求項１】
始動口にパチンコ球が入賞すると図柄表示装置の表示画面で、複数の図柄表示列により図柄の変動を開始し、一行の図柄表示列によるリーチ状態が表示された後に停止して、大当たり図柄配列が形成されると大当たりとなって大当たり遊技が付与されるように構成した遊技機において、
前記図柄表示装置の表示画面を方形に構成し、前記始動口へパチンコ球が入賞した際に当該表示画面の表示態様を決定する所定の複数の乱数を読み込むとともに、この方形の表示画面に、左図柄表示列、中図柄表示列および右図柄表示列から成る図柄表示列による図柄変動を順変動方向で開始させて、
前記図柄表示列が通常のリーチ状態となるリーチ図柄配列で停止した際に、当該通常のリーチ状態よりも更に大当たり図柄配列を形成する確率が高い第１の特別リーチ状態に発展する場合には、所定のタイミングで初期画面としての前記表示画面が田の字状の４個の分割画面に分割されるとともに、当該４個の分割画面のそれぞれにリーチ状態の図柄表示列が表示されて、当該リーチ状態にある中図柄表示列の図柄の変動が停止して、前記４個の分割画面の図柄表示列における少なくとも１つに、大当たり図柄配列が形成されると大当たりとなって大当たり表示を行い、
一方、前記４個の分割画面のいずれにも大当たり図柄配列が形成されることなく、はずれ図柄配列が形成されて前記第１の特別リーチ状態よりも更に大当たり図柄配列を形成する確率が高い第２の特別リーチ状態に発展する場合には、前記４個の分割画面のそれぞれにおいて、一旦停止した前記中図柄表示列の図柄が所定方向への移動を開始して、前記４個の分割画面に表示された各中図柄表示列の図柄を含む予め設定された中図柄表示列に表示可能な複数の図柄が、一方側では下方に向かって且つ他方側では上方に向かって、各分割画面間に跨って略Ｕ字状に順次移動し、その後に停止して前記４個の分割画面の図柄表示列における少なくとも１つに、大当たり図柄配列が形成されると大当たりとなって大当たり表示が行われるように構成されていることを特徴とする遊技機。
【請求項２】
請求項１に記載した遊技機であって、
前記第１の特別リーチ状態に発展した際の４個の分割画面のそれぞれには、すべて同一図柄またはすべて異なる図柄のいずれかによるリーチ状態の表示が行われるように構成されていることを特徴とする遊技機。
【請求項３】
請求項１に記載した遊技機であって、
前記第１の特別リーチ状態に発展した際に、前記４個の分割画面のそれぞれにはすべて異なる図柄によるリーチ状態の表示が行われ、はずれ図柄配列が形成されてから前記第２の特別リーチ状態に発展し、中図柄表示列に表示される図柄が各分割画面間に跨って移動し停止した際に、前記４個の分割画面のすべてに異なる図柄による大当たり図柄配列が形成されると大当たりとなるとともに、大当たり遊技に加えて確率変動遊技が特典として付与されるように設定されていることを特徴とする遊技機。
【請求項４】
請求項１から３のいずれかに記載した遊技機であって、
前記第２の特別リーチ状態において、前記４個の分割画面間に跨って移動表示される中図柄表示列の図柄は、他の左図柄表示列および右図柄表示列の図柄よりも大きく表示されるように構成されていることを特徴とする遊技機。
【発明の詳細な説明】
【０００１】
【発明の属する技術分野】
本発明は、遊技機に関し、特に遊技機の表示画面に図柄を変動させて表示する技術に関する。
【０００２】
【従来の技術】
遊技機の一つであるパチンコ機では、所定領域（例えば、第１種始動口）にパチンコ球（遊技球）が入球または通過した際に各種の乱数を読み込むことで抽選を行い、この抽選結果に基づいて大当たりかはずれかを判別する。また、前記乱数に基づいて遊技盤面上に設けられた図柄表示装置（例えば、特別図柄表示器）の図柄の変動を開始する。そして、図柄表示装置に所定の図柄配列、例えば３つの同じ図柄が１つのライン上に揃った大当たり図柄配列が形成されることで、大当たり遊技（特典）が遊技者に付与されたことを報知する。大当たり遊技は、具体的には、大入賞口を一定期間だけ開放する等の処理を行い、ほぼ一定数の出球が払い出される。大当たり図柄配列以外の図柄配列（はずれ図柄配列）を形成した場合には、大当たり遊技は付与されない。
【０００３】
【発明が解決しようとする課題】
従来、このようなパチンコ機において、特別図柄表示器の表示画面を複数の分割画面に分割し、分割後の表示画面において、各分割画面毎に各種の図柄を変動させるものが知られている。しかしながら、このように単に表示画面を複数に分割するのみでは、例えば各分割画面の図柄は他の分割画面とは関連性がなく、したがって画面表示の面白さを今一歩増加させることができなかった。
【０００４】
そこで本発明はこのような点に鑑みてなされたものであり、その目的とするところは、表示画面に図柄を変動させて表示する遊技機において、画面表示による演出効果を高めることができる技術を提供することである。
【０００５】
【課題を解決するための手段】
上記した課題を解決するために、本発明における遊技機は下記の解決手段１〜６に記載した通りに構成されている。
解決手段１：表示画面に抽選表示用図柄を変動表示させ、前記抽選表示用図柄によって前記表示画面に予め定められた停止態様が表示されると遊技者に有利な遊技状態が付与される遊技機において、前記表示画面を複数の分割画面に分割し、前記分割画面において、図柄を分割画面間を移動させて表示するように構成されていることを特徴とする遊技機。
解決手段２：解決手段１の遊技機であって、前記図柄が移動する方向に対して上流側の分割画面の下流側端部から、下流側の分割画面の上流側端部へ移動する図柄は、これら両分割画面に跨って表示されるように構成されていることを特徴とする遊技機。
解決手段３：解決手段１または２の遊技機であって、前記上流側の分割画面の下流側端部と、前記下流側の分割画面の上流側端部とが対向する位置に配置されるように構成されていることを特徴する遊技機。
解決手段４：解決手段１〜３のいずれかの遊技機であって、前記上流側および下流側の分割画面において、前記図柄の移動方向が同一となるように構成されていることを特徴とする遊技機。
解決手段５：解決手段１〜４のいずれかの遊技機であって、分割画面間を移動する図柄は、特別図柄であることを特徴とする遊技機。
解決手段６：表示画面に抽選表示用図柄を変動表示させ、前記抽選表示用図柄の配列によって前記表示画面に予め定められた停止態様が表示されると遊技者に有利な遊技状態が付与される遊技機において、前記表示画面を複数の分割画面に分割し、前記分割画面において、前記抽選表示用図柄を分割画面間を移動させて表示するように構成されており、しかも、前記抽選表示用図柄が移動する方向に対して上流側の分割画面の下流側端部から移動した抽選表示用図柄が、下流側の分割画面の上流側端部から出現し、該下流側の分割画面の下流側端部から移動した抽選表示用図柄が、前記上流側の分割画面の上流側端部から出現して、前記上流側および下流側の両分割画面において、抽選表示用図柄の図柄配列を変更可能に構成されていることを特徴とする遊技機。
ここで、各解決手段及び発明の詳細な説明に記載した用語については特に限定的要件を加えない限り以下のように解釈する。
（１）「図柄」には、特別図柄や普通図柄等のように抽選に関与する抽選表示用図柄のみならず、遊技に関係して表示画面に表示する全ての図柄（英数字、漢字、仮名等の文字、記号、絵柄、図形、静止画、動画等の画像など）が含まれる。従って、例えばキャラクタや背景図柄等も本発明でいう図柄に含まれるものとする。また、図柄の個数は一つのみならず、複数の場合も含む。
（２）「表示画面」は、１つの表示器の画面のみならず、複数の表示器の画面をも含む。従って、複数の図柄を表示画面に表示する場合には、１つの表示器で全ての図柄を表示する態様と、複数の表示器に複数の図柄を振り分けてそれぞれ表示する態様とがある。
（３）「遊技者に有利な遊技状態」には、例えば、大当たり図柄配列を形成する一歩手前の状態である「リーチ状態」、大当たり図柄配列が形成された後に遊技者に付与される「大当たり遊技」等が含まれる。
【０００６】
解決手段１に記載した遊技機において、表示画面に複数の分割画面が形成され、所定の分割画面に表示されている図柄が、別の分割画面へ移動することとなる。この表示画面は、最初から分割画面に分割されている場合であってもよいし、あるいは所定のタイミングで複数の分割画面に分割される場合であってよい。これにより、分割画面間を移動する図柄の作用によって、分割画面間に相関を生じさせることができ、画面表示に面白さをもたらすことができる。例えば、パチンコ機において、通常のリーチ状態よりも更に大当たり図柄配列が形成される可能性が高い特別リーチ状態の場合、予め読み込まれた乱数に基づいた所定のタイミングで表示画面は複数の分割画面に分割され、更に、分割後の所定の分割画面に表示されている図柄が、別の分割画面へ移動するように構成することができる。このように構成すれば、分割画面間を移動する図柄の作用によって、画面表示に面白さをもたらすことができ、しかも所定のタイミングで表示画面を分割したり、分割画面間に図柄を移動させることによって、遊技者に有利な特別リーチ状態であることを遊技者に認識させることができるため、より効果的である。従って、解決手段１に記載した遊技機によれば、画面表示による演出効果を高めることができる。
【０００７】
ここで、分割画面間を移動する図柄は、解決手段２のように、両分割画面に跨って表示されることが好ましい。すなわち、解決手段２の遊技機において、上流側の分割画面の下流側端部と、下流側の分割画面の上流側とは実質的に連結された状態で表示されている。なお、ここでいう「実質的に連結された状態で表示される」とは、分割画面同士が見かけ上連結されているように配置される表示態様はもとより、上流側の分割画面の下流側端部から下流側の分割画面の上流側端部へ移動する図柄を、その移動過程において上流側の分割画面と下流側の分割画面とに跨って表示させることで、上流側の分割画面と下流側の分割画面とがあたかも連結しているように遊技者に意識させる表示態様であってもよい。そして、上流側の分割画面内を下流側端部方向へ移動した図柄は、この下流側端部から表示領域外へ移動していく。この際、表示領域外に移動した部分は、下流側の分割画面の上流側端部から出現する。この結果として、上流側の分割画面の下流側端部から下流側の分割画面へ移動する図柄は、移動過程において上流側の分割画面と下流側の分割画面とに跨って表示される。なお、ここでいう「上流側端部」とは、所定の分割画面内を図柄が移動する際に、この図柄の移動方向に対する画面の上流側を示し、「下流側端部」とは、図柄の移動方向に対する画面の下流側を示すものである。従って、解決手段２の遊技機によれば、分割画面同士が実質的に連結された状態であるということを遊技者に強く意識させることができるため、更に、画面表示による演出効果を高めることができる。
【０００８】
また、解決手段３の遊技機において、画面分割後に、上流側の分割画面の下流側端部と、下流側の分割画面の上流側端部とが対向する位置に配置される。すなわち、上流側の分割画面と下流側の分割画面とが見かけ上連結して配置されている。従って、解決手段３の遊技機によれば、上流側の分割画面と下流側の分割画面とが連結されていることを遊技者に認識させ易く、しかも上流側の分割画面から下流側の分割画面へ移動する図柄の動作が自然である。また、実質的な連結箇所数を増やすことにより、上記分割画面の連結効果を更に増幅することができる。
【０００９】
また、解決手段４の遊技機において、上流側および下流側の分割画面における図柄の移動方向が同一である。例えば、表示画面が上下２つに分割された場合、上段の分割画面（上流側）、次いで下段の分割画面（下流側）を移動する図柄は、いずれの分割画面でも例えば右方向へ移動することとなる。従って、解決手段４の遊技機によれば、遊技者は、上流側の分割画面から下流側の分割画面に移動する図柄を目で追い易い。
【００１０】
また、解決手段５の遊技機において、分割画面間を移動する図柄は、特別図柄である。すなわち、遊技者に有利な遊技状態を付与するのに関与する特別図柄が分割画面間を移動することとなる。これにより、分割画面内の特別図柄の配列を種々変更させた表示態様を実現することができる。例えば、パチンコ機において、所定の分割画面の特別図柄が別の分割画面に移動することで、この別の分割画面に例えばリーチ状態や大当たり図柄配列が形成される。これにより、リーチや大当たりに対する遊技者の期待感を増幅させることができる。従って、解決手段５の遊技機によれば、分割画面間を移動する特別図柄によって画面表示に更なる面白さを付加することができる。
【００１１】
解決手段６の遊技機において、表示画面に複数の分割画面が形成され、所定の分割画面に表示されている図柄が、別の分割画面へ移動することとなる。そして、上流側の分割画面の下流側端部から移動した抽選表示用図柄が、下流側の分割画面の上流側端部から出現し、下流側の分割画面の下流側端部から移動した抽選表示用図柄が、前記上流側の分割画面の上流側端部から出現する。この際、上流側および下流側の両分割画面において、抽選表示用図柄の図柄配列が変更される可能性がある。例えば、パチンコ機において、抽選表示用図柄、例えば特別図柄によって、一旦はずれ図柄配列を形成しても、分割画面の図柄配列が変更されることで、分割画面に、例えばリーチ状態や大当たり図柄配列が形成される可能性がある。従って、解決手段６の遊技機によれば、遊技者の期待感を持続させ、高めることができる。
【００１２】
【発明の実施の形態】
以下、本発明における第１および第２実施の形態のパチンコ機を図面に基づいて説明する。なお、本実施の形態では、パチンコ機の特別図柄表示器の表示画面に表示される図柄の表示態様について説明する。
〔第１実施の形態〕
まず、第１実施の形態は、本発明をいわゆる第１種パチンコ機に適用したものであって、図１〜図１２を参照しながら説明する。ここで、図１は第１種パチンコ機の外観を示す正面図である。図２は拡大して表した複合装置の正面図である。また、図３〜図１２は、いずれも画面に表示される表示態様を示している。
【００１３】
図１において、本発明の遊技機としてのパチンコ機１０の遊技盤面１２上には、複合装置１４、第１種始動口３０、中ゲート３２、大入賞口３４、下部始動口６２、一般の入賞口等が適宜に配置されている。
第１種始動口３０は始動口センサ５６を有し、パチンコ球が入賞すると通常の入賞口と同様に賞球（賞品球）を払い出す。中ゲート３２はゲートセンサ５４を有し、パチンコ球が通過しても賞球を払い出さない。大入賞口３４は蓋６６を有し、当該蓋６６はソレノイド５０によって開閉される。また、大入賞口３４はＶゾーン５２を有し、そのＶゾーン５２はＶゾーンセンサ４８を有する。大入賞口開放期間内にパチンコ球がＶゾーン５２に入賞すると、大当たり遊技を所要回数（例えば１６回）内で継続することができる。上記大入賞口開放期間としては、例えば大入賞口３４にパチンコ球が１０個入賞するか、開放してから３０秒間を経過するまでのいずれか早いほうが該当する。さらに蓋６６の下部には、第１種始動口３０と同等の機能を備えた下部始動口６２を配置している。下部始動口６２は始動口センサ５６と同様の機能を備えた始動口センサ６０を有する。
【００１４】
ここで、始動口センサ５６，６０は、それぞれの始動口に入賞したパチンコ球を検出する。Ｖゾーンセンサ４８はＶゾーン５２に入賞したパチンコ球を検出する。ゲートセンサ５４は中ゲート３２を通過したパチンコ球を検出する。なお上記ゲートセンサ５４、始動口センサ５６，６０、Ｖゾーンセンサ４８には、例えば近接センサやマイクロスイッチ、光センサ（発光体と受光体）等を用いる。
【００１５】
また、遊技盤面１２には１個または複数個の装飾ゲートを有し、この例では左ゲート２６、右ゲート２７を有する。右ゲート２７は普通図柄表示器２７ａを有するが、左ゲート２６は普通図柄表示器を有しない。普通図柄表示器２７ａは１個または複数個の発光体（この例では２個のＬＥＤ）を有し、当該発光体の点灯・消灯が普通図柄となる。普通図柄は、例えば中ゲート３２にパチンコ球が通過したときに点滅が始まり、その後に各発光体についてそれぞれ点灯または消灯する。そして、各発光体の点灯または消灯の態様に応じて（例えば２個のＬＥＤのうち右側のＬＥＤが点灯すると）、下部始動口６２の蓋を一定期間（例えば４秒間）だけ開放する。
【００１６】
次に、図２を参照しながら複合装置１４の構成について説明する。
図２に示すように、複合装置１４には、天入賞口１４ａ、特別図柄表示器２０等が設けられている。天入賞口１４ａは一般の入賞口の一つである。特別図柄表示器２０には、例えば液晶表示器を用いる。特別図柄表示器２０の表示画面２１には特別図柄等を表示する。なお、特別図柄として用いる図柄は、文字（英数字や漢字等）、記号、図形、絵柄等がある。また、背景図柄には、例えば動画（映像、アニメーション等）や静止画等がある。また、特別図柄表示器２０は液晶表示器以外に、ＣＲＴ、ＬＥＤ表示器、プラズマ表示器等のように特別図柄等が表示可能な表示器を用いてもよい。
また、表示画面２１の下方位置には、特別図柄用の保留球ランプ２８が表示されている。保留球ランプ２８は、ほぼ水平状に並べて複数（例えば４個）設けられ、特別図柄の図柄変動中に第１種始動口３０に入賞したパチンコ球の個数を表示する。
【００１７】
表示画面２１は方形に形成され、後述する所定のタイミングで表示画面２１が２つの分割画面２２および２３に分割されて表示されるように構成されている。なお、分割前の表示画面２１には３つの図柄表示列（左図柄表示列１１０、中図柄表示列１３０、右図柄表示列１５０）が形成されるように構成されている。また、表示画面２１の分割後において、分割画面２２には３つの図柄表示列（左図柄表示列１１０ａ、中図柄表示列１３０ａ、右図柄表示列１５０ａ）が形成され、分割画面２３には３つの図柄表示列（左図柄表示列１１０ｂ、中図柄表示列１３０ｂ、右図柄表示列１５０ｂ）が形成されるように構成されている。
【００１８】
そして、分割前の表示画面２１においては図柄表示列１１０，１３０，１５０に表示された特別図柄の配列によって、また分割後の分割画面２２，２３においては図柄表示列１１０ａ，１３０ａ，１５０ａや図柄表示列１１０ｂ，１３０ｂ，１５０ｂに表示された特別図柄の配列によって、遊技者に大当たり遊技を付与する大当たりか否かを報知する。具体的には、表示画面２１の分割前は、図柄表示列１１０，１３０，１５０に表示された特別図柄によって大当たり図柄配列を形成した場合が「大当たり」である。また、表示画面２１の分割後は、図柄表示列１１０ａ，１３０ａ，１５０ａと図柄表示列１１０ｂ，１３０ｂ，１５０ｂのうち、少なくとも一方に表示された特別図柄によって大当たり図柄配列を形成した場合が「大当たり」である。
なお、図柄表示列１１０，１３０，１５０，１１０ａ，１３０ａ，１５０ａ，１１０ｂ，１３０ｂ，１５０ｂに表示される特別図柄は、例えばいずれも「０」〜「９」の計１０種類である。
【００１９】
次に、第１実施の形態の特別図柄表示器２０の表示画面２１に表示される態様について、図３〜図１２を参照しながら詳細に説明する。なお、これらの図において、変動している図柄表示列を図中下向きの矢印で示している。
第１種始動口３０にパチンコ球が入賞すると、特別図柄表示器２０の表示画面２１の３つの図柄表示列１１０，１３０，１５０は、順変動方向（図２中の矢印４０方向）にほぼ一斉に変動（例えば、図柄が認識できない程度の高速で）を開始する。そして、左図柄表示列１１０、右図柄表示列１５０、中図柄表示列１３０の順で図柄の変動を停止する。
なお、第１種始動口３０にパチンコ球が入賞した際には、表示画面２１の表示態様を決定する各種の乱数が読み込まれる。そして、この予め読み込まれた各種の乱数に基づいて、表示画面２１の表示態様、例えば各図柄表示列の特別図柄の変動態様や、表示画面２１が分割画面２２，２３に分割されるか否か等が決定されるように構成されている。
【００２０】
そして、左図柄表示列１１０および右図柄表示列１５０が変動を停止して、例えば、図３に示すようにリーチ状態であることを示すリーチ図柄配列「７，↓，７」が表示された後、中図柄表示列１３０に図柄「７」が停止すると大当たり図柄配列となり、図柄「７」以外が停止するとはずれ図柄配列となる。
また、このリーチ図柄配列「７，↓，７」が表示された後、通常のリーチ状態よりも更に大当たり図柄配列を形成する確率が高いこととなる第１の特別リーチ状態、いわゆるスーパーリーチに発展する場合がある。この場合は、例えば所定のキャラクタ等を表示させることによって、スーパーリーチに発展することを報知する。そして、このスーパーリーチになると、大当たり図柄配列が形成される期待度がスーパーリーチに発展する前よりもアップする。
【００２１】
本実施の形態では、通常のリーチ状態からスーパーリーチ状態になると、予め読み込まれた乱数に基づいた所定のタイミングで、図４に示すように初期画面としての表示画面２１が上段の分割画面２２と下段の分割画面２３とに分割される。そして、分割画面２２における図柄表示列１１０ａ，１３０ａ，１５０ａと、分割画面２３における図柄表示列１１０ｂ，１３０ｂ，１５０ｂには、いずれもリーチ図柄配列「７，↓，７」が表示される。ここで、分割画面２２と分割画面２３のうち、少なくとも一方に大当たり図柄配列「７，７，７」が形成されると、遊技者は大当たりが付与されたことを認識することができる。
【００２２】
また、表示画面２１が分割画面２２と分割画面２３とに分割された後、例えば図５に示すように分割画面２２にキャラクタ７０が表示されると、スーパーリーチ（第１の特別リーチ状態）よりも更に大当たり図柄配列を形成する確率が高いこととなる第２の特別リーチ状態に発展する。この第２の特別リーチ状態において、キャラクタ７０は、例えば分割画面２２の上流側端部２２ａから下流側端部２２ｂ方向（白抜き矢印方向）へ移動する。そして、図６に示すように、キャラクタ７０は、分割画面２２内の移動過程において下流側端部２２ｂにさしかかると、分割画面２２の下流側端部２２ｂから消えた部分が、今度は分割画面２３の上流側端部２３ａから連続的に出現し、分割画面２３内を分割画面２２と同一方向（下流側端部２３ｂ側）へ移動する。すなわち、このキャラクタ７０は、分割画面２２から分割画面２３へ移動する過程において、分割画面２２の下流側端部２２ｂと分割画面２３の上流側端部２３ａとに跨って表示され、分割画面２２の下流側端部２２ｂと分割画面２３の上流側端部２３ａとが実質的に連結されているかの如く動作する。この場合、実質的な連結箇所は１箇所となる。この際、分割画面２２および分割画面２３におけるキャラクタ７０の移動方向が同一であるため、遊技者は移動するキャラクタ７０を目で追い易い。
なお、分割画面２２が本発明における上流側の分割画面に対応しており、分割画面２３が本発明における下流側の分割画面に対応している。
【００２３】
そして、分割画面２３の上流側端部２３ａから下流側端部２３ｂ方向（白抜き矢印方向）へ移動するキャラクタ７０が、例えば図７に示すように中図柄表示列１３０ｂの変動を停止させ、捕まえた図柄が「７」である場合は、分割画面２３に大当たり図柄配列「７，７，７」が表示される。そしてその後、図８に示すように、初期画面としての表示画面２１の表示に切り替り、改めて表示画面２１に大当たり図柄配列「７，７，７」が表示される。これにより、遊技者は大当たりが付与されたことを認識することができ、その後、遊技者は大当たり遊技（遊技者に有利な遊技）を行うこととなる。
【００２４】
従って、第１の特別リーチ状態では表示画面２１を分割画面２２と分割画面２３とに分割させ、第２の特別リーチ状態ではキャラクタ７０を分割画面２２と分割画面２３との間で移動させるため、分割画面同士が実質的に連結されているように表現することができ、分割前よりも横方向で２倍の画面広さを表現することができる。しかも遊技者に有利な特別リーチ状態であることを遊技者に認識させることができる。
なお、このキャラクタ７０の移動方向、移動径路等は必要に応じて種々変更可能であり、キャラクタ７０が例えば分割画面２３に最初に出現した後、分割画面２２へ移動する態様であってもよい。
【００２５】
上記のように図３〜図８に示す図柄の変動態様では、分割画面２２と分割画面２３との間でキャラクタ７０が移動する場合について記載したが、キャラクタ７０のみならず各図柄表示列の特別図柄が分割画面２２と分割画面２３との間を移動するように構成することもできる。ここで、各図柄表示列の特別図柄が分割画面２２と分割画面２３との間で移動する２つの態様について、図９〜図１２を参照しながら説明する。
【００２６】
まず１つ目の態様において、表示画面２１が分割画面２２と分割画面２３とに分割された状態から、図柄表示列１１０ａ，１３０ａ，１５０ａおよび図柄表示列１１０ｂ，１３０ｂ，１５０ｂがそれぞれ変動を開始し、各分割画面において各図柄表示列は特別図柄の変動を一旦停止する。そして、図９に示すように、分割画面２２にはずれ図柄配列「６，３，７」を形成し、分割画面２３にはずれ図柄配列「５，２，７」を形成する。その後、キャラクタ７２等の出現によって特別図柄が移動することが報知されるとともに、キャラクタ７２は図柄「７」を下流側端部２２ｂから分割画面２２の表示領域外へ押し出し、押し出された図柄「７」は分割画面２３の上流側端部２３ａから分割画面２３の表示領域内へ移動する。なお、元々図柄「７」が表示されていた右図柄表示列１５０ａには、「７」以外の図柄、例えば図柄「８」が表示される。そして、図１０に示すように、分割画面２３の左図柄表示列１１０ｂには、元々表示されていた図柄「５」に替えて分割画面２２の右図柄表示列１５０ａから移動してきた図柄「７」が表示される。
【００２７】
また、特別図柄（図柄「７」）およびキャラクタ７２は、分割画面２２と分割画面２３との間を移動する過程において、分割画面２２と分割画面２３とに跨って表示され、分割画面２２の下流側端部２２ｂと分割画面２３の上流側端部２３ａとが実質的に連結されているかの如く動作する。この場合、実質的な連結箇所は１箇所となる。この際、分割画面２２および分割画面２３におけるキャラクタ７２と図柄「７」の移動方向が同一であるため、遊技者は移動するキャラクタ７２と図柄「７」を目で追い易い。
また、これに同期して、中図柄表示列１３０ｂが変動を再開する。これにより、分割画面２３にリーチ図柄配列「７，↓，７」が表示される。そして、最後に中図柄表示列１３０ｂが変動を停止して図柄「７」が表示されると大当たり図柄配列となり、そうでない場合はずれ図柄配列となる。
従って、本態様によれば、分割画面間を移動する図柄として特別図柄を用いたため、分割画面２２，２３にはずれ図柄配列が形成された場合でも、分割画面間において特別図柄が移動することでリーチ図柄配列を形成することができ、大当たり図柄配列に対する遊技者の期待感が高まる。
【００２８】
次に２つ目の態様において、１つ目の態様と同様に、表示画面２１が分割画面２２と分割画面２３とに分割された状態から、図柄表示列１１０ａ，１３０ａ，１５０ａおよび図柄表示列１１０ｂ，１３０ｂ，１５０ｂがそれぞれ変動を開始し、各分割画面において各図柄表示列は特別図柄の変動を一旦停止する。そして、図１１に示すように、分割画面２２にはずれ図柄配列「６，３，７」を形成し、分割画面２３にはずれ図柄配列「７，２，６」を形成する。その後、キャラクタ７４，７６等の出現によって特別図柄が移動することが報知されるとともに、キャラクタ７４は分割画面２２のはずれ図柄配列「６，３，７」を下流側端部２２ｂ方向へ移動させ、キャラクタ７６は分割画面２３のはずれ図柄配列「７，２，６」を下流側端部２３ｂ方向へ移動させる。これにより、分割画面２２の右図柄表示列１５０ａに表示されていた図柄「７」は、分割画面２２の下流側端部２２ｂから押し出され、分割画面２３の左図柄表示列１１０ｂへ移動する。
【００２９】
また、分割画面２３の右図柄表示列１５０ｂに表示されていた図柄「６」は、分割画面２３の下流側端部２３ｂから押し出され、分割画面２２の左図柄表示列１１０ａへ移動する。また、特別図柄（図柄「６」および「７」）は、分割画面２２と分割画面２３との間を移動する過程において、分割画面２２と分割画面２３とに跨って表示され、分割画面２２の下流側端部２２ｂと分割画面２３の上流側端部２３ａ、および分割画面２３の下流側端部２３ｂと分割画面２２の上流側端部２２ａとが実質的に連結されているかの如く動作する。この場合、実質的な連結箇所は２箇所となる。これにより、分割画面２２と分割画面２３とが３６０°繋がっているように表現することができる。また、この際、分割画面２２および分割画面２３におけるキャラクタ７４，７６と特別図柄の移動方向が同一であるため、遊技者は移動するキャラクタ７４，７６と特別図柄を目で追い易い。
そして、特別図柄の移動の終了に同期して、右図柄表示列１５０ａおよび右図柄表示列１５０ｂは変動を再開する。
【００３０】
而して、図１２に示すように、分割画面２２にはリーチ図柄配列「６，６，↓」が表示され、また分割画面２３にはリーチ図柄配列「７，７，↓」が表示される。これにより、いわゆる、ダブルリーチが形成される。そして、最後に、右図柄表示列１５０ａが変動を停止して図柄「６」が表示されるか、あるいは右図柄表示列１５０ｂが変動を停止して図柄「７」が表示されると、大当たり図柄配列となり、そうでない場合はずれ図柄配列となる。
従って、本態様によれば、１つ目の態様と同様の効果を奏するとともに、分割画面２２と分割画面２３とが３６０°繋がっているように表現することで、画面表示の更なる面白さを実現することができる。また、本態様によれば、分割画面２２および２３にダブルリーチを形成するため、遊技者の期待感を持続させ、高めることができる。なお、本態様では、分割画面間を特別図柄が移動することでリーチ状態（ダブルリーチ）が形成される場合について記載したが、分割画面間を特別図柄が移動した後に、例えば、直接大当たり図柄配列が形成される場合であってもよい。
【００３１】
以上のように、第１実施の形態のパチンコ機によれば、予め読み込まれた乱数に基づいた所定のタイミングで表示画面２１を分割画面２２と分割画面２３とに分割し、キャラクタ７０や特別図柄を分割画面２２と分割画面２３との間で跨って移動させるため、分割画面同士が実質的に連結された状態であるということを遊技者に強く意識させることができ、画面表示に面白さをもたらすことができる。
また、第１実施の形態のパチンコ機によれば、分割画面２２および分割画面２３におけるキャラクタ７４と特別図柄の移動方向が同一であるため、遊技者は移動するキャラクタと特別図柄を目で追い易い。
また、第１実施の形態のパチンコ機によれば、特別図柄を、分割画面２２の下流側端部２２ｂと分割画面２３の上流側端部２３ａ、および分割画面２３の下流側端部２３ｂと分割画面２２の上流側端部２２ａとが実質的に連結されているかの如く動作させることで、分割画面２２と分割画面２３とが３６０°繋がっているように表現することができる。
また、第１実施の形態のパチンコ機によれば、分割画面間を移動する図柄として、リーチ状態や大当たり図柄配列の形成に関与する特別図柄を用いたため、リーチや大当たりに対する遊技者の期待感を増幅させることができる。また、表示画面２１を分割したり、分割画面間においてキャラクタ７０や特別図柄を移動させることによって、遊技者に有利な特別リーチ状態（第１の特別リーチ状態や第２の特別リーチ状態）であることを遊技者に認識させることができる。
また、第１実施の形態のパチンコ機によれば、一旦はずれ図柄配列を形成しても、分割画面２２および２３にリーチ状態（いわゆるダブルリーチ）を形成するため、遊技者の期待感を持続させ、高めることができる。
【００３２】
〔第２実施の形態〕
次に、第２実施の形態は、第１実施の形態と同様に本発明を第１種パチンコ機に適用したものであって、図１３〜図２０を参照しながら説明する。ここで、図１３〜図２０は、いずれも画面に表示される表示態様を示している。また、図１３〜図２０において、図４〜図１２に示す要素と同一の要素には同一の符号を付している。なお、パチンコ機１０の主な構成や処理手順等は第１実施の形態と同様であるので、第２実施の形態では第１実施の形態と異なる画面の表示態様についてのみ説明する。
【００３３】
第１実施の形態と同様に第１種始動口３０にパチンコ球が入賞すると、表示画面２１の表示態様を決定する各種の乱数が読み込まれ、この乱数に基づいて表示画面２１の３つの図柄表示列１１０，１３０，１５０は、順変動方向（図２中の矢印４０方向）にほぼ一斉に変動（例えば、図柄が認識できない程度の高速で）を開始する。そして、左図柄表示列１１０および右図柄表示列１５０が変動を停止して、例えば、図３に示すようなリーチ図柄配列「７，↓，７」が表示された後、通常のリーチ状態よりも更に大当たり図柄配列を形成する確率が高いこととなる第１の特別リーチ状態、いわゆるスーパーリーチに発展する場合は、予め読み込まれた乱数に基づいた所定のタイミングで初期画面としての表示画面２１が４つの分割画面２２〜２５に分割される。そして、図１３に示すように、分割画面２２における図柄表示列１１０ａ，１３０ａ，１５０ａ、分割画面２３における図柄表示列１１０ｂ，１３０ｂ，１５０ｂ、分割画面２４における図柄表示列１１０ｃ，１３０ｃ，１５０ｃ、分割画面２５における図柄表示列１１０ｄ，１３０ｄ，１５０ｄには、いずれもリーチ図柄配列「７，↓，７」が表示される。ここで、分割画面２２〜２５のうち、少なくとも１つに大当たり図柄配列「７，７，７」を形成すると、遊技者は大当たりが付与されたことを認識することができ、その後、遊技者は大当たり遊技（遊技者に有利な遊技）を行うこととなる。
【００３４】
また、中図柄表示列１３０ａ〜１３０ｄが変動を停止して、分割画面２２〜２５のいずれにもはずれ図柄配列が形成された場合でも、一旦停止した中図柄表示列１３０ａ〜１３０ｄの特別図柄が後述するような移動を開始することで、スーパーリーチ状態（第１の特別リーチ状態）よりも更に大当たり図柄配列を形成する確率が高いこととなる第２の特別リーチ状態に発展する。本実施の形態では、まず図１４に示すように、分割画面２２の中図柄表示列１３０ａに図柄「１」が、分割画面２３の中図柄表示列１３０ｂに図柄「２」が、分割画面２４の中図柄表示列１３０ｃに図柄「３」が、分割画面２５の中図柄表示列１３０ｄに図柄「４」が、例えば他の左図柄表示列や右図柄表示列の図柄よりも大きく表示される。
【００３５】
そして、この第２の特別リーチ状態において、中図柄表示列１３０ａ〜１３０ｄに表示された図柄は、図１５中の矢印で示すような径路（図中の右まわり方向）で移動を開始する。例えば、分割画面２２において、中図柄表示列１３０ａの図柄は上流側端部２２ａから出現し、中図柄表示列１３０ａを矢印方向へ移動し、下流側端部２２ｂから消えていく。また、分割画面２３において、中図柄表示列１３０ｂの図柄は上流側端部２３ａから出現し、中図柄表示列１３０ｂを矢印方向へ移動し、下流側端部２３ｂから分割画面２２方向へ移動していく。また、分割画面２４において、中図柄表示列１３０ｃの図柄は上流側端部２４ａから出現し、中図柄表示列１３０ｃを矢印方向へ移動し、下流側端部２４ｂから分割画面２３方向へ移動していく。また、分割画面２５において、中図柄表示列１３０ｄの図柄は上流側端部２５ａから出現し、中図柄表示列１３０ｄを矢印方向へ移動し、下流側端部２５ｂから分割画面２４方向へ移動していく。
すなわち、分割画面２２の上流側端部２２ａは分割画面２３の下流側端部２３ｂと対向しており、分割画面２３の上流側端部２３ａは分割画面２４の下流側端部２４ｂと対向しており、分割画面２４の上流側端部２４ａは分割画面２５の下流側端部２５ｂと対向している。
【００３６】
なお、中図柄表示列１３０ａ〜１３０ｄを移動する特別図柄は、分割画面２２〜２５の間を移動する過程において、隣接する分割画面に跨って表示され、分割画面２２の上流側端部２２ａと分割画面２３の下流側端部２３ｂ、分割画面２３の上流側端部２３ａと分割画面２２の下流側端部２２ｂ、および分割画面２４の上流側端部２４ａと分割画面２５の下流側端部２５ｂとが実質的に連結されているかの如く動作する。この場合、実質的な連結箇所は３箇所となる。これにより、分割画面２５⇔分割画面２４⇔分割画面２３⇔分割画面２２が連続して繋がっているように表現することができる。
この際、中図柄表示列１３０ａ〜１３０ｄを移動する図柄は、例えば「０」〜「９」の計１０種類であって、「１」→「２」→「３」→…→「９」→「０」→「１」の順で移動していく。
【００３７】
また、本実施の形態では、表示画面２１を４つの分割画面２２〜２５に分割したうえで、中図柄表示列１３０ａ〜１３０ｄに表示される特別図柄を分割画面２２〜２５間において移動させることで、分割画面２２〜２５を１つに組み合わせた組合せ画面（表示画面２１に対応している）が形成されたかの如く表示することができる。すなわち、一旦分割されて小さくなった分割画面２２〜２５を初期画面に相当する形に組み合わせることで、組合せ画面を大きく見せることができる（疑似的効果）。従って、表示画面２１の分割や、分割後の分割画面の組合せにより、画面表示に更なる面白さを付加することができる。
【００３８】
その後、中図柄表示列１３０ａ〜１３０ｄが変動を停止して、その結果中図柄表示列１３０ａ〜１３０ｄのいずれかに図柄「７」が表示されると、大当たり図柄配列「７，７，７」となり、遊技者は大当たりが付与されたことを認識することができる。本実施の形態では、図１６に示すように、分割画面２２の中図柄表示列１３０ａに図柄「７」が表示され、分割画面２２に大当たり図柄配列「７，７，７」が表示されている。
このように、全ての各分割画面にリーチ図柄配列「７，↓，７」が表示されるように構成したため、１つの図柄「７」が中図柄表示列１３０ａ〜１３０ｄを１回移動する過程において、大当たり図柄配列を形成するチャンスが計４回生じることとなる。
なお、この中図柄表示列１３０ａ〜１３０ｄの特別図柄の移動方向、移動径路等は必要に応じて種々変更可能である。
【００３９】
上記のように図１３，１４に示す図柄の変動態様では、表示画面２１が分割画面２２〜２５に分割された際に、図３に示すリーチ図柄配列「７，↓，７」が全ての分割画面２２〜２５に表示される場合について記載したが、分割画面２２〜２５に表示される態様は、必要に応じて種々変更可能である。ここで、他の２つの態様について、図１７〜図２０を参照しながら説明する。
【００４０】
まず１つ目の態様において、表示画面２１に図３に示すリーチ図柄配列「７，↓，７」が表示された後、スーパーリーチ（第１の特別リーチ状態）に発展すると、分割画面２２〜２５に全て異なるリーチ図柄配列が表示される。例えば、分割画面２２にリーチ図柄配列「７，↓，７」が表示され、分割画面２３にリーチ図柄配列「５，↓，５」が表示され、分割画面２４にリーチ図柄配列「３，↓，３」が表示され、分割画面２５にリーチ図柄配列「１，↓，１」が表示される。そして、分割画面２２〜２４のいずれにも大当たり図柄配列を形成せず、更に第２の特別リーチ状態に発展すると、一旦停止した中図柄表示列１３０ａ〜１３０ｄの特別図柄は、図１７中の矢印で示すような径路（図中の右まわり方向）の移動を開始する。
【００４１】
その後、中図柄表示列１３０ａ〜１３０ｄが変動を停止して、その結果分割画面２２〜２５のいずれかに大当たり図柄配列が表示されると、遊技者は大当たりが付与されたことを認識することができる。なお、この態様では、図１８に示すように、分割画面２３の中図柄表示列１３０ｂに図柄「５」が表示され、分割画面２３に大当たり図柄配列「５，５，５」が表示されている。
このように、本態様では、中図柄表示列１３０ａ〜１３０ｄに奇数のみのリーチ図柄配列が表示されるように構成したため、例えば、奇数図柄が３つ揃って大当たり図柄配列を形成すると、大当たり遊技に加え更なる付加特典である確率変動遊技が付与されるように設定されている場合は、確率変動に対する遊技者の期待感が高まる。
【００４２】
次に２つ目の態様において、表示画面２１に図３に示すリーチ図柄配列「７，↓，７」が表示された後、スーパーリーチ（第１の特別リーチ状態）に発展すると、分割画面２２〜２５に全て異なるリーチ図柄配列が表示される。例えば、分割画面２２にリーチ図柄配列「５，↓，５」が表示され、分割画面２３にリーチ図柄配列「６，↓，６」が表示され、分割画面２４にリーチ図柄配列「７，↓，７」が表示され、分割画面２５にリーチ図柄配列「８，↓，８」が表示される。そして、分割画面２２〜２４のいずれにも大当たり図柄配列を形成せず、更に第２の特別リーチ状態に発展すると、一旦停止した中図柄表示列１３０ａ〜１３０ｄの特別図柄は、図１９中の矢印で示すような径路（図中の右まわり方向）の移動を開始する。
【００４３】
その後、中図柄表示列１３０ａ〜１３０ｄが変動を停止して、その結果分割画面２２〜２５のいずれかに大当たり図柄配列が表示されると、遊技者は大当たりが付与されたことを認識することができる。なお、この態様では、例えば、分割画面２２〜２５に形成されたリーチ図柄配列を構成する図柄と、中図柄表示列１３０ａ〜１３０ｄを移動する図柄の配列との関係によって、分割画面のいずれか１つに同じ図柄が３つ揃うと、全ての分割画面２２〜２５に同じ図柄が揃うように構成されている。例えば、図２０に示すように、分割画面２２に大当たり図柄配列「５，５，５」が形成され、分割画面２３に大当たり図柄配列「６，６，６」が形成され、分割画面２４に大当たり図柄配列「７，７，７」が形成され、分割画面２５に大当たり図柄配列「８，８，８」が形成される。そして、このような場合に、大当たり遊技に加え更なる付加特典である確率変動遊技が付与されるように設定されている場合は、確率変動に対する遊技者の期待感が高まる。
【００４４】
以上のように、第２実施の形態のパチンコ機によれば、第１実施の形態と同様に、予め読み込まれた乱数に基づいた所定のタイミングで表示画面２１を分割し、特別図柄を分割画面間で跨って移動させるため、分割画面同士が実質的に連結された状態であるということを遊技者に強く意識させることができ、画面表示に面白さをもたらすことができるという効果を奏する。
また、第２実施の形態のパチンコ機によれば、画面分割後に、上流側の分割画面の下流側端部と、下流側の分割画面の上流側端部とが対向する位置に配置されるため、上流側の分割画面と下流側の分割画面とが連結されていることを遊技者に認識させ易く、しかも上流側の分割画面から下流側の分割画面へ移動する図柄の動作が自然である。そのうえ、特別図柄を、分割画面２２の上流側端部２２ａと分割画面２３の下流側端部２３ｂ、分割画面２３の上流側端部２３ａと分割画面２２の下流側端部２２ｂ、および分割画面２４の上流側端部２４ａと分割画面２５の下流側端部２５ｂとが実質的に連結されているかの如く動作させることで、分割画面２５⇔分割画面２４⇔分割画面２３⇔分割画面２２が連続して繋がっているように表現することができる。
また、第２実施の形態のパチンコ機によれば、分割画面間を移動する図柄として、リーチ状態や大当たり図柄配列の形成に関与する特別図柄を用いたため、リーチや大当たりに対する遊技者の期待感を増幅させることができる。また、表示画面２１を分割したり、中図柄表示列１３０ａ〜１３０ｄにおいて特別図柄を移動させることによって、遊技者に有利な特別リーチ状態（第１の特別リーチ状態や第２の特別リーチ状態）であることを遊技者に認識させることができる。
また、第２実施の形態のパチンコ機によれば、一旦分割されて小さくなった分割画面２２〜２５を初期画面に相当する形に組み合わせることで、組合せ画面を大きく見せることができるため、画面表示に更なる面白さを付加することができる。
【００４５】
なお、本実施の形態では、分割画面は共に通常の抽選表示用画面と同等の画面（表示画面２１）としたが、分割画面は通常の抽選表示用画面とは異なる画面、例えば演出用の画面であってもよい。このような演出用の画面を設けて、通常の抽選表示用画面に用いる抽選表示用図柄（例えば、特別図柄）とは異なる図柄を用いて表示を行い、その表示結果に応じて、遊技者に有利な遊技状態が付与されるものであっても、本発明の効果は十分に発揮されるものである。
【００４６】
〔他の実施の形態〕
上述したパチンコ機（遊技機）において、他の部分の構造、形状、材質、個数、配置及び動作条件等については、上記実施の形態に限定されるものでなく、必要に応じて種々変更可能である。例えば、上記実施の形態を応用した次の各形態を実施することもできる。
【００４７】
（Ａ）上記実施の形態では、キャラクタや特別図柄が分割画面間を移動する過程において、キャラクタや特別図柄が分割画面に跨って表示される場合について記載したが、キャラクタや特別図柄等が分割画面間を移動する態様はこれに限定されず、例えば、キャラクタや特別図柄が分割画面間を瞬間的に移動する態様であってもよい。
【００４８】
（Ｂ）また、表示画面２１は、第１実施の形態では２つの分割画面２２，２３に分割され、第２実施の形態では４つの分割画面２２〜２５に分割される場合について記載したが、表示画面２１の分割数、分割パターン等はこれに限定されず必要に応じて種々変更可能である。例えば、表示画面２１が図２１や図２２に示すような分割画面２２，２３に分割される場合であってもよい。すなわち、分割画面の配置は、上下方向や左右方向に限らず、斜め方向等であってもよい。
【００４９】
（Ｃ）また、上記実施の形態では、分割画面間をキャラクタや特別図柄が移動する場合について記載したが、分割画面間を移動する図柄はこれらに限定されず、必要に応じて選択可能である。例えば、分割画面間を背景図柄が移動する場合であってもよい。
【００５０】
（Ｄ）また、上記実施の形態では、所定のタイミングで表示画面２１が複数の分割画面に分割される場合について記載したが、表示画面２１が最初から複数の分割画面に分割されている場合であってもよい。また、最初から複数に分割されている分割画面が、所定のタイミングで更に多数の分割画面に分割される態様であってもよい。
【００５１】
（Ｅ）また、上記実施の形態では、例えば図柄「７」がライン上に３つ揃った場合を大当たり図柄配列としたが、大当たり図柄配列はこれに限定されず、異なる図柄が揃った場合であってもよい。例えば、図柄「１」，「２」，「３」がライン上に揃った場合を大当たり図柄配列としてもよい。
【００５２】
（Ｆ）また、上記実施の形態では、第１種のパチンコ機１０に本発明を適用した。この形態に代えて、第１種パチンコ機以外の遊技機（例えば第３種パチンコ機、スロットマシン、アレンジボール機、テレビゲーム機等）であって図柄を変動して表示する表示画面を有するものについても同様に本発明を適用することができる。
【００５３】
【発明の効果】
以上説明したように、本発明によれば、表示画面に図柄を変動させて表示する遊技機において、画面表示による演出効果を高めることができる技術を実現することができる。
【図面の簡単な説明】
【図１】パチンコ機の外観を示す正面図である。
【図２】複合装置を拡大して表した正面図である。
【図３】第１実施の形態の画面に表示される表示態様を示す図である。
【図４】第１実施の形態の画面に表示される表示態様を示す図である。
【図５】第１実施の形態の画面に表示される表示態様を示す図である。
【図６】第１実施の形態の画面に表示される表示態様を示す図である。
【図７】第１実施の形態の画面に表示される表示態様を示す図である。
【図８】第１実施の形態の画面に表示される表示態様を示す図である。
【図９】第１実施の形態の画面に表示される表示態様を示す図である。
【図１０】第１実施の形態の画面に表示される表示態様を示す図である。
【図１１】第１実施の形態の画面に表示される表示態様を示す図である。
【図１２】第１実施の形態の画面に表示される表示態様を示す図である。
【図１３】第２実施の形態の画面に表示される表示態様を示す図である。
【図１４】第２実施の形態の画面に表示される表示態様を示す図である。
【図１５】第２実施の形態の画面に表示される表示態様を示す図である。
【図１６】第２実施の形態の画面に表示される表示態様を示す図である。
【図１７】第２実施の形態の画面に表示される表示態様を示す図である。
【図１８】第２実施の形態の画面に表示される表示態様を示す図である。
【図１９】第２実施の形態の画面に表示される表示態様を示す図である。
【図２０】第２実施の形態の画面に表示される表示態様を示す図である。
【図２１】表示画面の他の分割パターンを示す図である。
【図２２】表示画面の他の分割パターンを示す図である。
【図２３】表示画面の他の分割パターンを示す図である。
【符号の説明】
１０…パチンコ機（遊技機）
１４…複合装置
２０…特別図柄表示器
２１…表示画面
２２〜２５…分割画面
２２ａ〜２５ａ…上流側端部
２２ｂ〜２５ｂ…下流側端部
３０…第１種始動口
３４…大入賞口
７０，７２，７４，７６…キャラクタ
１１０，１１０ａ〜１１０ｄ…左図柄表示列
１３０，１３０ａ〜１３０ｄ…中図柄表示列
１５０，１５０ａ〜１５０ｄ…右図柄表示列
【図１】
0004300341.tif 000002
【図２】
0004300341.tif 000003
【図３】
0004300341.tif 000004
【図４】
0004300341.tif 000005
【図５】
0004300341.tif 000006
【図６】
0004300341.tif 000007
【図７】
0004300341.tif 000008
【図８】
0004300341.tif 000009
【図９】
0004300341.tif 000010
【図１０】
0004300341.tif 000011
【図１１】
0004300341.tif 000012
【図１２】
0004300341.tif 000013
【図１３】
0004300341.tif 000014
【図１４】
0004300341.tif 000015
【図１５】
0004300341.tif 000016
【図１６】
0004300341.tif 000017
【図１７】
0004300341.tif 000018
【図１８】
0004300341.tif 000019
【図１９】
0004300341.tif 000020
【図２０】
0004300341.tif 000021
【図２１】
0004300341.tif 000022
【図２２】
0004300341.tif 000023
【図２３】
0004300341.tif 000024